(57)【要約】【課題】より鑑賞しやすい表示を行うことができる通信装置を提供する。【解決手段】上記課題を解決するために、被写体像を撮像して撮像画像を生成する撮像部と、前記生成された撮像画像から、第１の解像度であって第１のフレームレートの第１の画像と、前記第１の解像度よりも高解像度の第２の解像度であって、前記第１のフレームレートよりも低い第２のフレームレートの第２の画像とを生成する画像生成部と、第１の指示を受け付けたとき、第１の画像を外部表示装置に送信した後、続けて、第２の画像を前記外部表示装置に送信する通信部と、を備えた電子機器。【選択図】図５
2014050010.tif 000002
【特許請求の範囲】
【請求項１】
被写体像を撮像して撮像画像を生成する撮像部と、
前記生成された撮像画像から、第１の解像度であって第１のフレームレートの第１の画像と、前記第１の解像度よりも高解像度の第２の解像度であって、前記第１のフレームレートよりも低い第２のフレームレートの第２の画像とを生成する画像生成部と、
第１の指示を受け付けたとき、第１の画像を外部表示装置に送信した後、続けて、第２の画像を前記外部表示装置に送信する通信部と、を備えた電子機器。
【請求項２】
前記外部表示装置は、
表示部と、
前記電子機器から画像を受信可能な通信部と、
前記第１の画像を受信したとき、前記第１の画像を前記表示部に表示させた後、続けて、前記第２の画像を受信したとき、前記表示部への表示を前記第１の画像から前記第２の画像へと差し替える制御部と、
を備えた、請求項１に記載の電子機器。
【請求項３】
前記通信部は、
第２の指示を受け付けたとき、第２の画像を前記外部表示装置に送信した後、続けて、第１の画像を前記外部表示装置に送信する、
請求項１から２に記載の電子機器。
【請求項４】
前記外部表示装置において前記制御部は、
表示部と、
前記電子機器から画像を受信可能な通信部と、
前記第２の画像を受信したとき、前記第２の画像を前記表示部に表示させた後、続けて、前記第１の画像を受信したとき、前記表示部への表示を前記第２の画像から前記第１の画像へと差し替える、
請求項３に記載の電子機器。
【発明の詳細な説明】
【技術分野】
【０００１】
本発明は通信装置を備えた撮像装置に関する。
【背景技術】
【０００２】
近年、通信機能を搭載した電子機器が普及してきている。通信機能を備えたことにより、画像データ等のデータを他の電子機器に対して送信することができる。例えば、特許文献１に記載の機器が知られている。
【先行技術文献】
【特許文献】
【０００３】
【特許文献１】特開２００２−３５４３２９号公報
【発明の概要】
【発明が解決しようとする課題】
【０００４】
画像データを送信する相手方の機器の一つとして表示装置が考えられる。表示装置は、受信した画像データを自身のディスプレイに表示させることができる。ディスプレイのサイズが大きくなればなるほど、より多くの人が同時に受信画像を鑑賞することができる。このとき、より鑑賞しやすい表示を行なうことが望まれると発明者は認識する。
【０００５】
本発明は上記課題を鑑みてなされたものであり、より鑑賞しやすい表示を行うことができる通信装置を備えた撮像装置を提供する。
【課題を解決するための手段】
【０００６】
上記課題を解決するために、被写体像を撮像して撮像画像を生成する撮像部と、前記生成された撮像画像から、第１の解像度であって第１のフレームレートの第１の画像と、前記第１の解像度よりも高解像度の第２の解像度であって、前記第１のフレームレートよりも低い第２のフレームレートの第２の画像とを生成する画像生成部と、第１の指示を受け付けたとき、第１の画像を外部表示装置に送信した後、続けて、第２の画像を前記外部表示装置に送信する通信部と、を備えた電子機器。
【発明の効果】
【０００７】
本発明によれば、より鑑賞しやすい表示を行うことができる通信装置を提供できる。
【図面の簡単な説明】
【０００８】
【図１】デジタルビデオカメラ１００の構成を示すブロック図
【図２】ディスプレイ装置２００の構成を示すブロック図
【図３】転送動画の画質に応じた表示の動作フローチャート
【図４】転送動画の画質に応じた表示動作のイメージ図
【図５】動画を転送しているときに静止画記録指示がなされた場合の表示の動作フローチャート
【図６】動画を転送しているときに静止画記録指示がなされた場合の表示イメージ図
【発明を実施するための形態】
【０００９】
〔実施の形態１〕
実施の形態１にかかるデジタルビデオカメラ１００は、通信部１７１を介して動画像や静止画像をディスプレイ装置２００に送信することができる。ディスプレイ装置２００は、デジタルビデオカメラ１００から通信部２１１を介して受信した動画像や静止画像を、液晶ディスプレイ２１５に表示することができる。
【００１０】
デジタルビデオカメラ１００が送信する動画像や静止画像の画質として、ＶＧＡ（Ｖｉｄｅｏ  Ｇｒａｐｈｉｃｓ  Ａｒｒａｙ）画質や、ＨＤ（Ｈｉｇｈ  Ｄｉｆｉｎｉｔｉｏｎ）画質がある。ＨＤ画質の動画像又は静止画像は、ＶＧＡ画質の動画像又は静止画像よりも一般に高画質である。
【００１１】
デジタルビデオカメラ１００が、外部のディスプレイ装置に対してリアルタイムにＨＤ画質の画像を伝送することが望ましい。しかしながら、画像処理部１２２の能力によっては、ＨＤ画質の画像を処理することが困難な場合がある。このとき、デジタルビデオカメラ１００は、ＨＤ画質の画像を外部のディスプレイ装置２００に伝送するために、ディスプレイ装置２００と通信のためのネゴシエーションや、ディスプレイ装置２００にて円滑に画像を再生するのに必要な最小限のデータ量を確保するためのバッファリングに時間を費やすことになる。ＨＤ画質の画像は、ＶＧＡ画質の画像よりもビットレートが高いため、同一の伝送路の帯域幅では、相対的に高い遅延が発生してしまう。
【００１２】
発明者は、この遅延の課題を、試作実験などを通して発見し、より鑑賞しやすい表示を行うという課題を認識するに至った。以下、デジタルビデオカメラ１００およびディスプレイ装置２００の、構成および動作について説明する。
【００１３】
なお、以下の実施の形態では、比較的低画質だが低遅延の画質としてＶＧＡ画質、比較的高画質だが高遅延の画質としてＨＤ画質を例示するが、本技術思想はこれらに限定されるものではない。すなわち、比較的低画質だが低遅延の第１の画質と、比較的高画質だが高遅延の第２の画質とを扱う電子機器であれば、本技術思想を適用することができる。
【００１４】
〔１．構成〕
以下図を用いてデジタルビデオカメラ１００およびディスプレイ装置２００の構成を説明する。
【００１５】
〔１−１．デジタルビデオカメラ１００の構成〕
図１は、本実施形態のデジタルビデオカメラの構成を示すブロック図である。デジタルビデオカメラ１００は、光学系１１０を介して形成された被写体像をＣＭＯＳイメージセンサ１２０で撮像する。ＣＭＯＳイメージセンサ１２０は、撮像した被写体像に基づく画像データを生成する。撮像により生成された画像データはＡＦＥ（ＡＦＥ：Ａｎａｌｏｇ  Ｆｒｏｎｔ  Ｅｎｄ）１２１や画像処理部１２２において各種処理を施される。画像データはフラッシュメモリ１４２やメモリカード１４０に記憶される。フラッシュメモリ１４２やメモリカード１４０に記憶された画像データは、ユーザによる操作部１５０の操作を受け付けて液晶ディスプレイ１２３に表示される。また、ＣＭＯＳイメージセンサ１２０で撮像され、画像処理部１２２により処理された画像データが、スルー画像として液晶ディスプレイ１２３に表示される。
【００１６】
光学系１１０は、フォーカスレンズ、ズームレンズ、光学式手ぶれ補正レンズＯＩＳ（Ｏｐｔｉｃａｌ  Ｉｍａｇｅ  Ｓｔａｂｉｌｉｚｅｒ）などのレンズから構成される光学系である。なお、光学系１１０を構成する各種レンズは何枚から構成されるものでも、何群から構成されるものでもよい。
【００１７】
ＣＭＯＳイメージセンサ１２０は、光学系１１０を通して形成された被写体像を撮像して撮像データを生成する。ＣＭＯＳイメージセンサ１２０は、所定のフレームレート（例えば、３０フレーム／秒）で新しいフレームの撮像データを生成する。ＣＭＯＳイメージセンサ１２０の撮像データ生成タイミングおよび電子シャッタ動作は、コントローラ１３０によって制御される。ＣＭＯＳイメージセンサに代えて、例えばＣＣＤイメージセンサやＮＭＯＳイメージセンサなど、他の撮像素子を用いても良い。
【００１８】
ＡＦＥ１２１は、ＣＭＯＳイメージセンサ１２０で生成された撮像データに対して、相関二重サンプリング等の処理を実行する。また、アナログ形式の撮像データからデジタル形式の撮像データへの変換を施す。その後、ＡＦＥ１２１は画像データを画像処理部１２２に出力する。
【００１９】
画像処理部１２２は、撮像データに対して各種の処理を施す。各種処理としては、ガンマ補正、ホワイトバランス補正、ＹＣ変換処理、電子ズーム処理、圧縮処理、伸張処理等が挙げられるが、これらに限定されるものではない。画像処理部１２２は、各種の処理を施すことにより、撮像データから画像データを生成する。画像処理部１２２は、設定された画質パラメータに基づいて、撮像データから画像データを生成する。設定された画質パラメータがＶＧＡ画質を示す場合、画像処理部１２２は、ＶＧＡ画質を示す画質パラメータに基づいて、撮像データから画像データを生成する。設定された画質パラメータがＨＤ画質を示す場合、画像処理部１２２は、ＨＤ画質を示す画質パラメータに基づいて、撮像データから画像データを生成する。画像処理部１２２は、ハードワイヤードな電子回路で構成してもよいし、これらの処理を行うためのプログラムを実行するマイクロコンピュータ等で構成してもよい。またコントローラ１５０等と共に１つの集積回路として構成してもよい。
【００２０】
液晶ディスプレイ１２３は、画像処理部１２２にて処理された画像データ（動画像データ或いは静止画像データ）に基づく画像を表示する。液晶ディスプレイ１２３が表示する画像には、スルー画像や記録画像がある。液晶ディスプレイ１７０は、ＣＭＯＳイメージセンサ１２０により逐次生成される撮像画像に対して、画像処理部１２２によりＶＧＡ画質の動画像データとして処理されるデータを、スルー画像としてリアルタイムに表示する。ユーザは、液晶ディスプレイ１２３に表示されるスルー画像を参照することにより、被写体の構図を確認しながら撮影できる。記録画像は、メモリカード１４０やフラッシュメモリ１４２に記録された画像データ（動画像データ或いは静止画像データ）が示す画像である。液晶ディスプレイ１２３は、画像データが示す画像の他に、デジタルビデオカメラ１００の設定値を変更するための画面や、通信部１７１を介して通信状態にあるディスプレイ装置２００の表示内容を操作するための操作釦画面などを表示することができる。液晶ディスプレイに替えて、有機ＥＬディスプレイなど他のディスプレイであっても適用可能である。
【００２１】
タッチパネル１７３は、液晶ディスプレイ１７０の表面に設けられており、ユーザがタッチしたタッチパネル上の電極位置に関する情報を出力する。
【００２２】
検出処理部１７７は、タッチパネル１７３が出力する電極位置に関する情報に基づいて、ユーザがタッチしたタッチパネル上の位置座標を算出してコントローラ１３０に出力する。これにより、コントローラ１３０は、ユーザがタッチ操作しているタッチパネル１７３上の位置を把握することができる。
【００２３】
コントローラ１３０は、デジタルビデオカメラ１００全体の動作を統括制御する。コントローラ１３０は、垂直同期信号（ＶＤ）に基づいて、ＣＭＯＳイメージセンサ１２０や、画像処理部１２２などに制御信号を通知する。コントローラ１３０は、プログラム等の情報を格納するＲＯＭ及びプログラム等の情報を処理するＣＰＵ等により構成される。ＲＯＭは、オートフォーカス制御やオート露出制御に関するプログラムの他、デジタルビデオカメラ１００全体の動作を統括制御するためのプログラムを格納している。
【００２４】
コントローラ１３０は、検出処理部１７７が出力する位置座標値から、ユーザが液晶ディスプレイ１２３に表示されている撮影フレーム内の何処をタッチしたかを認識し、その操作に応じた処理を行う。例えば、液晶ディスプレイ１２３が、デジタルビデオカメラ１００の設定値を変更するための画面や、通信部１７１を介して通信状態にあるディスプレイ装置２００の表示内容を操作するための操作釦画面を表示しているとき、タッチされた位置に該当する設定や操作を実行するよう処理する。或いは、液晶ディスプレイ１２３がスルー画像を表示しているとき、タッチされた位置に対応する画像領域に対してフォーカスを合わせた後、静止画像の記録指示を実行するよう処理する。
【００２５】
コントローラ１３０は、ハードワイヤードな電子回路で構成してもよいし、マイクロコンピュータなどで構成してもよい。また、画像処理部１２２などと共に１つの集積回路として構成してもよい。
【００２６】
バッファメモリ１２４は、画像処理部１２２やコントローラ１３０のワークメモリとして機能する記憶手段である。バッファメモリ１２４はＤＲＡＭ（Ｄｙｎａｍｉｃ  Ｒａｎｄｏｍ  Ａｃｃｅｓｓ  Ｍｅｍｏｒｙ）などで実現できる。
【００２７】
フラッシュメモリ１４２は、画像データ等を記憶するための内部メモリとして機能する。コントローラ１３０は、画像処理部１２２で処理される画像データをフラッシュメモリ１４２あるいはメモリカード１４０に記憶する。
【００２８】
カードスロット１４１は、メモリカード１４０を装着可能な接続手段である。カードスロット１４１は、メモリカード１４０を電気的及び機械的に接続可能である。
【００２９】
メモリカード１４０は、内部にフラッシュメモリ等の記憶部を備えた外部メモリである。メモリカード１４０は、画像処理部１２２で処理される画像データなどのデータを記憶可能である。本実施の形態では、外部メモリの一例としてメモリカード１４０を示すが、光ディスク、ＨＤＤ等の記憶媒体を外部メモリとしてもよい。
【００３０】
通信部１７１は、無線または有線の通信インターフェースであり、コントローラ１３０はこの通信部１７１を制御して、ディスプレイ装置２００など、通信機能を備えた他の電子機器と通信を行なうことができる。通信部１７１は、例えば、ＵＳＢやＢｌｕｅｔｏｏｔｈ（登録商標）、無線ＬＡＮ、有線ＬＡＮ等により実現可能である。
【００３１】
操作部１５０は、デジタルビデオカメラ１００の外装に備わっている操作釦や操作レバーの総称であり、使用者による操作を受け付ける。操作部１５０は使用者による操作を受け付けると、コントローラ１３０に種々の動作指示信号を通知する。
【００３２】
〔１−２．ディスプレイ装置２００の構成〕
続いて、ディスプレイ装置２００の構成について図２を用いて説明する。図２は、ディスプレイ装置２００の構成を示すブロック図である。
【００３３】
ディスプレイ装置２００は、通信部２１１、コントローラ２１２、ワークメモリ２１３、ＨＤＤ２１４、液晶ディスプレイ２１５、操作部２１６、フラッシュメモリ２１７などを備えている。
【００３４】
コントローラ２１２は、ディスプレイ装置２００上の処理を実行する処理部である。コントローラ２１２は、通信部２１１、ワークメモリ２１３、ＨＤＤ２１４、液晶ディスプレイ２１５、フラッシュメモリ２１５、操作部２１６に電気的に接続されている。コントローラ２１２は、操作部２１６を用いての使用者の操作情報を受け付ける。コントローラ２１２は、ＨＤＤ２１４やフラッシュメモリ２１７に格納されている情報を読み出すことができる。
【００３５】
ワークメモリ２１３は、コントローラ２１２が各種処理動作を実行するために必要な情報を一時的に格納するメモリである。
【００３６】
ＨＤＤ２１４は、各種データを格納する大容量のディスクドライブである。上述したように、ＨＤＤ２１４に格納された各種データ（画像データなど）は、適宜コントローラ２１２により読み出し可能である。
【００３７】
通信部２１１は、無線または有線の通信インターフェースであり、コントローラ２１２はこの通信部２１１を介して、デジタルビデオカメラ１００と通信することができる。例えば、ＵＳＢやＢｌｕｅｔｏｏｔｈ（登録商標）、無線ＬＡＮ、有線ＬＡＮ等により実現可能である。
【００３８】
液晶ディスプレイ２１５は、デジタルビデオカメラ１００から受信した動画像データ又は静止画像データに基づく画像を表示する。ユーザは、液晶ディスプレイ２１５に表示される画像を参照することにより、デジタルビデオカメラ１００から送信されている動画像データ又は静止画像データに基づく画像の内容を確認することができる。液晶ディスプレイに替えて、有機ＥＬディスプレイなど他のディスプレイであっても適用可能である。
【００３９】
本実施形態では、デジタルビデオカメラ１００の画像転送先としてディスプレイ装置２００を例示するが、これに限定されない。例えば、プロジェクタ装置など、デジタルビデオカメラ１００の画像を投影する装置であってもよい。更には、ストレージ装置など、デジタルビデオカメラ１００の画像を保存する装置であってもよい。
【００４０】
また、デジタルビデオカメラ１００と、ディスプレイ装置、プロジェクタ装置、ストレージ装置とは、直接通信状態を確立するようにしてもよいし、中継機器を介して通信状態を確立するようにしてもよい。なお、中継機器を介して通信する場合、デジタルビデオカメラ１００の転送先の機器の要求する仕様に応じて、中継機器が転送画像に対して処理を行なうようにしてもよい。
【００４１】
〔２．動作〕
続いて、デジタルビデオカメラ１００および、ディスプレイ装置２００の動作について説明する。
【００４２】
デジタルビデオカメラ１００および、ディスプレイ装置２００は、それぞれ通信機能を有している。デジタルビデオカメラ１００と、ディスプレイ装置２００との通信状態の確立は、通信部１７１および通信部２１１の具体的実現手段（ＷｉＦｉなど）に応じてなされる。デジタルビデオカメラ１００とディスプレイ装置２００との通信状態が確立しているとき、デジタルビデオカメラ１００は、ディスプレイ装置２００に対して、動画像データや静止画像データを転送することができる。
【００４３】
デジタルビデオカメラ１００は、撮影モードと再生モードとを有している。撮影モードでは、デジタルビデオカメラ１００は、被写体の撮影を行い、液晶ディスプレイ１２３に撮像画像に基づくスルー画像を表示する。また、撮影モードにおいて、デジタルビデオカメラ１００のコントローラ１３０は、タッチパネル１７３に対するタッチ操作や、操作部１５０の操作などにより動画像記録指示や、静止画像記録指示を受け付ける。一方、再生モードでは、デジタルビデオカメラ１００は、メモリカード１４０に記録された画像データを読み出し、液晶ディスプレイ１２３に表示する。
【００４４】
画像処理部１２２は、撮影モードにおいて、ディスプレイ装置２００と通信状態が確立されていて、ディスプレイ装置２００への画像転送が許可されている場合、ＶＧＡ画質の画質パラメータを設定し、ＶＧＡ画質の動画像データを生成する。このとき、画像処理部１２２は、撮像データから、液晶ディスプレイ１２３表示用のスルー画像と、ＶＧＡ画質の動画像データとを生成する。コントローラ１３０は、生成されたスルー画像を、液晶ディスプレイ１２３に表示させる。同時に、コントローラ１３０は、通信部１７１を制御して、生成されたＶＧＡ画質の動画像データを、ディスプレイ装置２００に転送する。
【００４５】
一方、画像処理部１２２は、撮影モードにおいて、より高精細な画像をディスプレイ装置２００に転送する指示がなされた場合、ＨＤ画質の画質パラメータを設定して、ディスプレイ装置２００への伝送用画像としてＨＤ画質の動画像データを生成する。より高精細な画像をディスプレイ装置２００に転送する指示は、例えば、鑑賞者がより詳細に画像を観察したいようなときになされる指示である。この指示は、操作部１５０やタッチパネル１７３の操作に機能を割り付けることで実現される。コントローラ１３０は、通信部１７１を制御して、生成されたＨＤ画質の動画像データを、ディスプレイ装置２００に転送する。
【００４６】
画像処理部１２２は、再生モードにおいて、メモリカード１４０に記録された動画像データを読み出す。このとき、コントローラ１３０は、読み出した動画像データを、ディスプレイ装置２００に転送する。  デジタルビデオカメラ１００の液晶ディスプレイ１２３に表示される画像は、転送する動画像に応じて変更される。以下、図３および図４を用いて、動作ステップを順に説明する。図３は、転送動画の画質に応じた表示の動作フローチャートである。
【００４７】
デジタルビデオカメラ１００が撮影モードになっている状態からの動作で説明する。デジタルビデオカメラ１００が撮影モードになっているとき、デジタルビデオカメラ１００のコントローラ１３０は、液晶ディスプレイ１２３にスルー画像を表示させる（Ｓ３００）。続いて、デジタルビデオカメラ１００のコントローラ１３０は、撮影モードから再生モードへと切り替えられたか否かを検知している（Ｓ３０１）。再生モードに切り替えられない限り（Ｓ３０１におけるＮｏ）、デジタルビデオカメラ１００のコントローラ１３０は、液晶ディスプレイ１２３にスルー画像を表示させる。
【００４８】
再生モードへと切り替えられたとき（Ｓ３０１におけるＹｅｓ）、デジタルビデオカメラ１００のコントローラ１３０は、液晶ディスプレイ１２３に操作釦画面を表示させる（Ｓ３０２）。このとき、デジタルビデオカメラ１００のコントローラ１３０は、再生モードから撮影モードへと切り替えられたか否かを検知している（Ｓ３０３）。撮影モードに切り替えられない限り（Ｓ３０３におけるＮｏ）、デジタルビデオカメラ１００のコントローラ１３０は、液晶ディスプレイ１２３に操作釦画面を表示させる。撮影モードへと切り替えられたとき（Ｓ３０３におけるＹｅｓ）、デジタルビデオカメラ１００のコントローラ１３０は、液晶ディスプレイ１２３に再びスルー画像を表示させる（Ｓ３００）。以下、デジタルビデオカメラ１００は、ステップＳ３００からステップＳ３０３の動作を繰り返す。
【００４９】
続いて、図３のフローチャートのステップＳ３００と、ステップＳ３０２における、デジタルビデオカメラ１００の液晶ディスプレイ１２３と、ディスプレイ装置２００の液晶ディスプレイ２１５の画面のイメージを説明する。図４は、撮影モード／再生モードに応じた表示動作のイメージ図である。
【００５０】
図４（Ａ）は、撮影モードのときの、デジタルビデオカメラ１００の液晶ディスプレイ１２３と、ディスプレイ装置２００の液晶ディスプレイ２１５の表示内容のイメージである。図４（Ａ）に示すように、撮影モードのときは、デジタルビデオカメラ１００の液晶ディスプレイ１２３と、ディスプレイ装置２００の液晶ディスプレイ２１５の表示内容の差異（転送遅延に起因する差異）が比較的少ないため、スルー画像を液晶ディスプレイ１２３に表示させる。これにより、使用者は、デジタルビデオカメラ１００からディスプレイ装置２００に転送中の動画像を、デジタルビデオカメラ１００の液晶ディスプレイ１２３と、ディスプレイ装置２００の液晶ディスプレイ２１５の両者で確認することができる。
【００５１】
図４（Ｂ）は、再生モードのときの、デジタルビデオカメラ１００の液晶ディスプレイ１２３と、ディスプレイ装置２００の液晶ディスプレイ２１５の表示内容のイメージである。再生モードのときは、デジタルビデオカメラ１００の液晶ディスプレイ１２３と、ディスプレイ装置２００の液晶ディスプレイ２１５の表示内容の差異（転送遅延に起因する差異）が比較的大きい。このままでは、デジタルビデオカメラ１００の使用者と、ディスプレイ装置２００の鑑賞者とで、異なるタイミングの動画を見ることになる。そのため、デジタルビデオカメラ１００の使用者と、ディスプレイ装置２００の鑑賞者とで、話題とする内容にズレが生じる恐れがある。特に、デジタルビデオカメラ１００の使用者と、ディスプレイ装置２００の鑑賞者とが、学校の教室など同じ部屋にいる場合は、この問題が顕著になる。そのため、デジタルビデオカメラ１００の液晶ディスプレイ１２３には、図４（Ｂ）に示すように、操作釦画面を表示させる。これにより、ディスプレイ装置２００の表示内容に、使用者を含む鑑賞者全員の視線を集約することができる。鑑賞者全員の視線を集約させる目的では、デジタルビデオカメラ１００の液晶ディスプレイ１２３には何も表示しなくてもよいが、操作釦画面を表示させることにより、ディスプレイ装置２００に表示させる動画像の制御（一時停止、３０秒振り戻しなど）を、デジタルビデオカメラ１００側にて実施することができる。これにより、鑑賞者はより快適に動画像鑑賞を楽しむことができる。
【００５２】
デジタルビデオカメラ１００は、液晶ディスプレイ１２３に動画像を表示させているときに、より高精細な画像をディスプレイ装置２００に転送する使用者からの指示を受け付ける。使用者は、タッチパネル１７３に対するタッチ操作や、操作部１５０の操作により、当該指示を行なうことができる。デジタルビデオカメラ１００のコントローラ１３０は、当該指示を受け付けると、ＶＧＡ画質の動画像転送から、ＨＤ画質の動画像転送へと切り替える。但し、より高精細な画像をディスプレイ装置２００へと転送するために、フレームレートを落とす。例えば、ＶＧＡ３０ｆｐｓの動画像の転送から、ＨＤ１ｆｐｓの動画像への転送に切り替える。
【００５３】
鑑賞者にとって、動画像は、フレームレートが相対的に高いときは、画質の低さが比較的気にならないが、フレームレートが相対的に低くなり静止画像に極めて近いときは画質が低いと比較的気になる。そのため、デジタルビデオカメラ１００は、ＶＧＡ画質の動画像をディスプレイ装置２００に転送している場合であっても、より高精細な静止画像の鑑賞が可能なように、ＨＤ画質の動画像を転送する。以下、液晶ディスプレイ１２３にスルー画像を表示させているときに、より高精細な画像をディスプレイ装置２００に転送する使用者からの指示を受け付けた場合の動作について、図５および図６を用いて、ステップを順に説明する。
【００５４】
図５は、より高精細な画像をディスプレイ装置２００に転送する使用者からの指示がなされた場合の表示の動作フローチャートである。図６は、より高精細な画像をディスプレイ装置２００に転送する使用者からの指示がなされた場合の表示イメージ図である。
【００５５】
デジタルビデオカメラ１００のコントローラ１３０は、ＶＧＡ３０ｆｐｓの動画像データを、ディスプレイ装置２００に転送しているとする（Ｓ４００：図６（Ａ）を参照）。ディスプレイ装置２００は、デジタルビデオカメラ１００からＶＧＡ３０ｆｐｓの動画像データを受信すると、液晶ディスプレイ２１５にＶＧＡ３０ｆｐｓの動画像データが示す動画像を表示する（Ｓ４０１：図６（Ａ）を参照）。
【００５６】
デジタルビデオカメラ１００のコントローラ１３０は、ＶＧＡ３０ｆｐｓの動画像データをディスプレイ装置２００に転送しているとき、より高精細な画像をディスプレイ装置２００に転送する使用者からの指示を受け付ける（Ｓ４０２：図６（Ｂ）を参照）。当該指示を受け付けると、コントローラ１３０は、撮像画像に対してＨＤ１ｆｐｓの動画像の生成処理を行なうよう画像処理部１２２に指示する。
【００５７】
ＨＤ１ｆｐｓの動画像が生成されると、デジタルビデオカメラ１００のコントローラ１３０は、生成されたＨＤ１ｆｐｓの動画像をディスプレイ装置２００へと転送する（Ｓ４０３：図６（Ｂ）を参照）。ディスプレイ装置２００は、デジタルビデオカメラ１００からＨＤ１ｆｐｓの動画像を受信すると、液晶ディスプレイ２１５の表示を、ＶＧＡ３０ｆｐｓの動画像から、ＨＤ１ｆｐｓの動画像へと差し替える（Ｓ４０４：図６（Ｂ）を参照）。
【００５８】
ＨＤ１ｆｐｓの動画像へと差し替えられた後は、図６（Ｃ）に例示するように、タッチパネル１７３のタッチ操作により「お絵かき」を行なうことができる。使用者が「お絵かき」した内容は、ＨＤ１ｆｐｓの動画像に重畳されて、ディスプレイ装置２００へと転送される。そして、ディスプレイ装置２００は、「お絵かき」の内容が重畳されたＨＤ１ｆｐｓの動画像を、液晶ディスプレイ２１５に表示する。「お絵かき」をする場合は、使用者による描画操作の状況を更新していく必要がある。そのため、デジタルビデオカメラ１００は、ＨＤ１ｆｐｓの動画を、液晶ディスプレイ２１５に転送する。「お絵かき」をしない場合は、更新の必要がないため、ＨＤ１ｆｐｓの動画像ではなく、ＨＤの静止画像としてもよい。
【００５９】
以上のように、デジタルビデオカメラ１００は、液晶ディスプレイ１２３と、ディスプレイ装置２００に動画像を送信可能な通信部１７１と、ディスプレイ装置２００に送信した場合にＶＧＡ画質の動画像（第１の遅延が発生する第１の映像）を、ディスプレイ装置２００に送信するときは、スルー画像を表示するよう液晶ディスプレイ１２３を制御する一方、ディスプレイ装置２００に送信した場合にＶＧＡ画質の動画像よりも高遅延のＨＤ画質の動画像を、ディスプレイ装置２００に送信するときは、表示させないよう液晶ディスプレイ１２３を制御するコントローラ１３０と、を備える。これにより、ディスプレイ装置２００の表示内容に、使用者を含む鑑賞者全員の視線を集約することができる。
【００６０】
また、デジタルビデオカメラ１００の液晶ディスプレイ１２３は、ＶＧＡ画質の動画像よりも高遅延のＨＤ画質の動画像を、ディスプレイ装置２００に送信するときは、スルー画像を表示させず、操作釦画面を表示するよう液晶ディスプレイ１２３を制御する。操作釦画面を表示させることにより、ディスプレイ装置２００に表示させる動画像の制御（一時停止、３０秒振り戻しなど）を、デジタルビデオカメラ１００側にて実施することができる。これにより、鑑賞者はより快適に動画像鑑賞を楽しむことができる。
【００６１】
また、デジタルビデオカメラ１００は、被写体像を撮像して撮像データを生成するＣＭＯＳイメージセンサ１２０と、前記生成された撮像データから、ＶＧＡ３０ｆｐｓの動画像（第１の解像度であって第１のフレームレートの第１の画像）と、ＨＤ１ｆｐｓの動画像（前記第１の解像度よりも高解像度の第２の解像度であって、前記第１のフレームレートよりも低い第２のフレームレートの第２の画像）とを生成する画像処理部１２２と、より高精細な画像をディスプレイ装置２００に転送する使用者からの指示を受け付けたとき、ＶＧＡ３０ｆｐｓの動画像をディスプレイ装置２００に送信した後、続けて、ＨＤ１ｆｐｓの動画像をディスプレイ装置２００に送信する通信部１７１と、を備える。これにより、高精細な動画像の鑑賞が可能になる。
【００６２】
このとき、ディスプレイ装置２００は、液晶ディスプレイ１２３と、デジタルビデオカメラ１００から画像を受信可能な通信部２１１と、ＶＧＡ３０ｆｐｓの動画像を受信したとき、ＶＧＡ３０ｆｐｓの動画像を液晶ディスプレイ１２３に表示させた後、続けて、ＨＤ１ｆｐｓの動画像を受信したとき、液晶ディスプレイ１２３への表示をＶＧＡ３０ｆｐｓの動画像からＨＤ１ｆｐｓの動画像へと差し替えるコントローラ２１２と、を備える。これにより、高精細な動画像の鑑賞が可能になる。
【００６３】
なお、上記では、液晶ディスプレイ１２３への表示をＶＧＡ３０ｆｐｓの動画像からＨＤ１ｆｐｓの動画像へと差し替える場合を説明したが、ＨＤ１ｆｐｓの動画像からＶＧＡ３０ｆｐｓの動画像へと差し替えるようにしてもよい。これにより、高精細な動画像の鑑賞から、別の被写体の鑑賞へと容易に切り替えることができる。
【産業上の利用可能性】
【００６４】
本発明はデジタルビデオカメラ１００やディスプレイ装置３１０への実施に限定されない。すなわち、ムービーカメラや、スマートフォン等、通信部を備えた通信機器に本発明は適用可能である。
【符号の説明】
【００６５】
１００…デジタルビデオカメラ
１２３…液晶ディスプレイ
１３０…コントローラ
１４０…メモリカード
１４２…フラッシュメモリ
１５０…操作部
１７１…通信部
２００…ディスプレイ装置
２１１…通信部
２１２…コントローラ
２１４…ＨＤＤ
２１５…液晶ディスプレイ
２１６…操作部
【図１】
2014050010.tif 000003
【図２】
2014050010.tif 000004
【図３】
2014050010.tif 000005
【図４】
2014050010.tif 000006
【図５】
2014050010.tif 000007
【図６】
2014050010.tif 000008